(57)【要約】【課題】コストの低減を図りつつ審判員の増減に対応して正確に確実に得点を算出し使い勝手の向上を図る。【解決手段】表示部１８Ｃは、表示装置２６の表示画面に、審判員を識別する複数の識別情報複数の識別情報と、複数の対応数値データと、複数の識別情報に対応する複数のチェックボックスＣＢＣＢとを対応付けて一覧表示すると共に、算出部１８Ｂで算出された得点を表示する。決定部１８Ｄは、入力装置２８の操作によるチェックボックスＣＢへのチェックの入力の有無に基づいて、チェックボックスＣＢに対応する対応数値データの有効または無効を決定するものである。対応数値データを有効にするとは、算出部１８Ｂがその対応数値データを得点の算出に用いる対象とすることをいい、対応数値データを無効にするとは、算出部１８Ｂがその対応数値データを得点の算出に用いる対象から除外することをいう。【選択図】図２
2018153388.tif 000002
【特許請求の範囲】
【請求項１】
複数の審判員によって複数の観点から競技内容を評価する数値データが決定される競技において、前記各審判員が操作する複数の端末から送信される前記数値データを前記複数の審判員を識別する複数の識別情報に対応させた複数の対応数値データとして取得する取得部と、
前記複数の識別情報と、前記複数の対応数値データと、前記複数の識別情報に対応する複数のチェックボックスと、を対応付けて表示装置に一覧表示する表示部と、
入力装置の操作による前記チェックボックスへのチェックの入力の有無に基づいて、前記チェックボックスに対応付けられた前記対応数値データの有効または無効を決定する決定部と、
有効とされた前記対応数値データに基づいて得点の算出を行なう算出部と、
を備えることを特徴とする情報処理装置。
【請求項２】
前記対応数値データの有効または無効に対応して前記対応数値データの表示の許容または禁止を行なう表示制御部をさらに備える、
ことを特徴とする請求項１記載の情報処理装置。
【請求項３】
前記識別情報と前記対応数値データとは前記表示装置の表示画面上の予め定められた表示領域に表示され、
前記表示制御部は、無効となっている前記対応数値データおよびその対応数値データに対応する前記識別情報の前記表示領域の一部または全域の表示状態を、有効となっている前記対応数値データおよびその対応数値データに対応する前記識別情報の前記表示領域の表示状態と異なる無効表示状態とする、
ことを特徴とする請求項２記載の情報処理装置。
【請求項４】
前記表示制御部は、前記対応数値データが前記表示装置に表示された状態で、前記対応数値データに対応する新たな対応数値データが前記取得部で取得された場合に、あるいは、前記対応数値データに対応する新たな対応数値データが前記入力装置の操作により入力された場合に前記新たな対応数値データに基づいて更新して表示させ、
前記算出部は、更新された前記対応数値データに基づいて前記得点の算出を行なう、
ことを特徴とする請求項２または３記載の情報処理装置。
【請求項５】
情報処理装置において実行されるプログラムであって、
前記情報処理装置を、
複数の審判員によって複数の観点から競技内容を評価する数値データが決定される競技において、前記各審判員が操作する複数の端末から送信される前記数値データを前記複数の審判員を識別する複数の識別情報に対応させた複数の対応数値データとして取得する取得部と、
前記複数の識別情報と、前記複数の対応数値データと、前記複数の識別情報に対応する複数のチェックボックスと、を対応付けて表示装置に一覧表示する表示部と、
入力装置の操作による前記チェックボックスへのチェックの入力の有無に基づいて、前記チェックボックスに対応付けられた前記対応数値データの有効または無効を決定する決定部と、
有効とされた前記対応数値データに基づいて得点の算出を行なう算出部と、
して機能させるためのプログラム。
【発明の詳細な説明】
【技術分野】
【０００１】
本発明は情報処理装置に関する。
【背景技術】
【０００２】
複数の審判員によって複数の観点から競技内容を評価する数値データが決定され、その数値データに基づいて得点が算出される個人あるいは団体の競技、例えば、新体操などにおいては、以下のようにして得点の算出を行っている。
すなわち、複数の審判員の手元に数値データを入力するためのノート型パーソナルコンピュータあるいはタブレット型パーソナルコンピュータが端末として配置され、それら複数の端末を通信回線を介して１台のホストコンピュータに接続する。
競技毎に各審判員が数値データを複数の端末に入力すると、各数値データは通信回線を介してホストコンピュータに送信される。
ホストコンピュータでは、算出用プログラムが実行されることにより、各審判員が入力した数値データを受け付け、それら数値データに基づいて得点を算出する機能を実現している。
この場合、ホストコンピュータの表示装置の表示画面上では、審判員の識別情報と、審判員が入力した数値データとが一覧表示されると共に、それら数値データに基づいて加点や減点などを算出し、それら加点と減点とに基づいて総合得点が算出され表示される。
そして、表示装置の表示画面上では、審判員の人数分の識別情報と、審判員の人数分の数値データと対応付けられて一覧表示される。
なお、特許文献１には、バスケットボールや柔道などの対戦型スポーツの得点を表示する技術が開示されているものの、複数の審判員によって得点が与えられる個人あるいは団体の競技において得点の算出を行なう点については開示されていない。
【先行技術文献】
【特許文献】
【０００３】
【特許文献１】特開２０１３−８１６１６号公報
【発明の概要】
【発明が解決しようとする課題】
【０００４】
しかしながら、女子の新体操競技の規定では、審判員の人数は固定ではなく、９名から１４名の間で変更してもよいことになっている。
ホストコンピュータは、算出用プログラムを実行することで、表示装置の表示画面上に、１４名分の識別情報と、１４名分の数値データとが一覧表示されるように表示領域を固定した状態で設定しており、また、算出用プログラムは、１４名分の処理を行なうように構成されている。
そのため、実際の競技会において審判員の人数が例えば予定していた１４名から１０名に急に変更された場合、欠員となる４名分の識別情報と数値データに対応する表示領域が不使用となり、算出処理も１０名分に変更しなくてはならない。
そのため、審判員の人数に合わせた複数の算出用プログラムを事前に用意しておく必要があり、コストがかかるものとなる。
また、審判員の人数に合わせた算出用プログラムを作成しない場合は次のようなことが懸念される。
すなわち、端末を１４台用意し審判員を１４名とした算出用プログラムを用いた場合、不使用となる端末が誤って操作されると、ホストコンピュータでは、誤った数値データを受け付けて表示画面上に表示してしまい、また、誤った算出結果が表示されることが懸念される。
本発明は、上記事情に鑑みてなされたものであり、その目的は、新体操などの競技において、コストの低減を図りつつ審判員の増減に対応して正確に確実に得点を算出でき、しかも使い勝手の向上を図る上で有利な情報処理装置およびプログラムを提供することにある。
【課題を解決するための手段】
【０００５】
上記目的を達成するために、本発明は、情報処理装置であって、複数の審判員によって複数の観点から競技内容を評価する数値データが決定される競技において、前記各審判員が操作する複数の端末から送信される前記数値データを前記複数の審判員を識別する複数の識別情報に対応させた複数の対応数値データとして取得する取得部と、前記複数の識別情報と、前記複数の対応数値データと、前記複数の識別情報に対応する複数のチェックボックスと、を対応付けて表示装置に一覧表示する表示部と、入力装置の操作による前記チェックボックスへのチェックの入力の有無に基づいて、前記チェックボックスに対応付けられた前記対応数値データの有効または無効を決定する決定部と、有効とされた前記対応数値データに基づいて得点の算出を行なう算出部とを備えることを特徴とする。
また、本発明は、情報処理装置において実行されるプログラムであって、前記情報処理装置を、複数の審判員によって複数の観点から競技内容を評価する数値データが決定される競技において、前記各審判員が操作する複数の端末から送信される前記数値データを前記複数の審判員を識別する複数の識別情報に対応させた複数の対応数値データとして取得する取得部と、前記複数の識別情報と、前記複数の対応数値データと、前記複数の識別情報に対応する複数のチェックボックスと、を対応付けて表示装置に一覧表示する表示部と、入力装置の操作による前記チェックボックスへのチェックの入力の有無に基づいて、前記チェックボックスに対応付けられた前記対応数値データの有効または無効を決定する決定部と、有効とされた前記対応数値データに基づいて得点の算出を行なう算出部として機能させるものである。
【発明の効果】
【０００６】
本発明によれば、審判員を識別する複数の識別情報と、複数の対応数値データと、複数の識別情報に対応する複数のチェックボックスとを対応付けて表示装置に一覧表示し、入力装置の操作によるチェックボックスへのチェックの入力の有無に基づいて、チェックボックスに対応付けられた対応数値データの有効または無効を決定し、有効とされた対応数値データに基づいて得点の算出を行なうようにした。
したがって、従来のように、審判員の人数に合わせた複数の算出用プログラムを事前に用意する必要が無いため、コストの低減を図る上で有利となる。
また、審判員の増減に対応して正確に確実に得点を算出する上で有利となり、仮に欠員となった審判員の端末が誤操作されたとしても得点が誤って算出されることがない。
また、入力装置の操作によるチェックボックスへのチェックの入力操作は容易で間違えにくいため、情報処理装置の使い勝手の向上を図る上で有利となる。
【図面の簡単な説明】
【０００７】
【図１】実施の形態に係る情報処理装置を備える得点集計システムの構成を示すブロック図である。
【図２】情報処理装置の機能ブロック図である。
【図３】表示装置の表示画面の説明図であり、審査員が１４名である場合を示す。
【図４】表示装置の表示画面の説明図であり、審査員が１１名である場合を示す。
【図５】実施の形態に係る情報処理装置の動作フローチャートである。
【発明を実施するための形態】
【０００８】
以下、本発明の実施の形態に係る情報処理装置について図面を参照して説明する。
なお、本実施の形態では、得点を算出する競技が女子の新体操である場合について説明する。
【０００９】
まず、新体操の採点ルールについて説明する。
新体操では、複数の審判員は、例えば、以下のように分類される。
（１）技術点（Ｄ点）を採点する審判員（合計４名）
審判員Ｄ１、Ｄ２が第１の組となり、審判員Ｄ１、Ｄ２の採点結果の平均値を得点とする。
審判員Ｄ３、Ｄ４が第２の組となり、審判員Ｄ３、Ｄ４の採点結果の平均値を得点とする。
第１の組と第２の組の得点の合計が技術点（Ｄ点）の得点となる。
（２）芸術点（Ｅ点）を採点する審判員（合計５名）
審判員Ｅ１、Ｅ２が第３の組となり、審判員Ｅ１、Ｅ２が減点を決定し、減点結果の平均値を１０点の持ち点から減算した結果を得点とする。
審判員Ｅ３〜Ｅ７が第４の組となり、審判員Ｅ３〜Ｅ７が減点を決定し、減点結果の最高点と最低点とを除く残りの減点の平均値を１０点の持ち点から減算した結果を得点とする。
第３の組と第４の組の得点の合計が芸術点（Ｅ点）の得点となる。
（３）線審（２名）
２名の線審が矩形状の競技エリアの規定のラインを競技者または手具が逸脱した回数を計数し、その合計に０．３を乗じた結果を減点とする。
（４）計審（１名）
１名の計審が競技者の演技時間が規定時間を超過した時間を測定し、超過時間（秒）に０．０５点を乗じた結果を減点とする。
上記の（１）技術点と（２）芸術点の合計から（３）線審の減点および（４）計審の減点を差し引いた値を競技者の総合得点とする。
【００１０】
また、上述した審判員の人数は固定されたものではなく、以下のように変更が可能である。
例えば、第１、第２、第３の組では、審判員は１名でも２名でもよい。
第４の組では、審判員は３名、４名、５名の何れでも良い。
上述した採点ルールによれば、審判員の人数は、９名から１４名の間で変更可能となっている。
なお、本明細書では、説明の簡略化を図るため、実際に運用される採点ルールに比較して単純化した内容で記載している。
また、このような採点ルールは、定期的に見直され改定されている。
【００１１】
図１に示すように、競技会場には得点を算出、表示するための得点集計システム１０が設置される。
得点集計システム１０は、各審判員に設置される複数の端末１２と、本実施の形態に係る情報処理装置（ホストコンピュータ）１４とを含んで構成されている。
なお、図１において、端末１２には、後述する審判員の種類を識別するための識別情報である「Ｄ１〜Ｄ４」、「Ｅ１〜Ｅ７」、「線１」、「線２」、「計審」を記載している。
【００１２】
端末１２は、審判員毎に設置されるものであり、ノート型パーソナルコンピュータ、あるいは、タブレット型パーソナルコンピュータ、あるいは、デスクトップ型パーソナルコンピュータ、あるいは、専用の入力装置から構成され、ＬＡＮなどの通信回線１６を介して情報処理装置１４に通信可能に接続されている。
端末１２は、数値データを入力するためのキーボード、入力した数値データが表示される表示部、数値データを通信回線１６に送信する通信部などを含んで構成されている。
なお、端末１２により入力される数値データは、上述した採点ルールに基づいて決定されるものであり、数値データには以下の種類がある。
（１）技術点（Ｄ点）を採点する審判員Ｄ１〜Ｄ４が入力する得点を示す数値データ。
（２）芸術点（Ｅ点）を採点する審判員Ｅ１〜Ｅ７が入力する減点を示す数値データ。
（３）線審が入力する競技者または手具が矩形状の競技エリアの規定のラインを逸脱した回数を示す数値データ。
（４）計審が入力する演技時間を示す数値データ。
【００１３】
情報処理装置１４は、ノート型パーソナルコンピュータ、あるいは、タブレット型パーソナルコンピュータ、あるいは、デスクトップ型パーソナルコンピュータで構成されている。
本実施の形態では、情報処理装置１４は、上述した複数の審判員とは異なるコーディネータジャッジと呼ばれる上位の審判員が取り扱うものとなっている。
図１に示すように、情報処理装置１４は、ＣＰＵ１８と、バスラインを介して接続されたＲＯＭ２０、ＲＡＭ２２、ハードディスク装置２４、表示装置２６、入力装置２８、通信部３０、インターフェース３２などを含んで構成されている。
ＲＯＭ２０は、各種のデータを格納・記憶するものである。
ＲＡＭ２２はＣＰＵ１８のワーキングエリアを提供するものである。
ハードディスク装置２４は、ＣＰＵ１８が実行するプログラムを格納するものである。
【００１４】
表示装置２６は、文字や画像を表示するものであり、例えば液晶表示装置２６などのフラットパネルディスプレイで構成されている。
入力装置２８は、入力操作を受け付けるものであり、キーボードおよびマウスによって構成されている。なお、入力装置２８は、表示装置２６の表示面上に設けられたタッチパネルで構成してもよく、入力装置２８として従来公知の様々な構成の入力デバイスが使用可能である。
通信部３０は、通信回線１６を介して各端末１２との間で通信を行なうものである。
インターフェース３２はプリンタなどの外部装置と間でインターフェースをとるものである。
【００１５】
ＣＰＵ１８は、図２に示すように、上記プログラムを実行することにより、取得部１８Ａと、算出部１８Ｂと、表示部１８Ｃと、決定部１８Ｄと、表示制御部１８Ｅとを実現するものである。
【００１６】
取得部１８Ａは、各審判員が操作する複数の端末１２から送信される数値データを、各審判員を識別する複数の識別情報と対応付けた対応数値データとして取得するものである。
算出部１８Ｂは、取得した対応数値データに基づいて得点を算出するものであり、その動作については後述する。
表示部１８Ｃは、図３に示すように、表示装置２６の表示画面に、複数の識別情報と、複数の対応数値データと、複数の識別情報に対応する複数のチェックボックスＣＢとを対応付けて一覧表示すると共に、算出部１８Ｂで算出された得点を表示するものである。
符号Ｃ１は、採点を行なう審判員の識別情報を表示する審判員表示欄であり、審判員表示欄Ｃ１には、上述したように審判員を示す識別情報として「Ｄ１〜Ｄ４」、「Ｅ１〜Ｅ７」が表示されている。
符号Ｃ２は、審判員Ｄ１〜Ｄ４、Ｅ１〜Ｅ７が端末１２により入力した対応数値データ、ここでは得点あるいは減点が表示される第１の数値データ表示欄を示す。
本実施の形態では、審判員表示欄Ｃ１と第１の数値データ表示欄Ｃ２が、特許請求の範囲における表示装置２６の表示画面上の予め定められた表示領域３４を構成している。
【００１７】
チェックボックスＣＢは、識別情報に対応するものであり、本実施の形態では、チェックボックスＣＢは、各識別情報に対応して第１の数値データ表示欄Ｃ２に隣接した箇所に表示される。
チェックボックスＣＢは、マウスの操作によりポインタをチェックボックスＣＢ内に位置させ、クリックすることでチェックの入力がなされ、再度クリックすることでチェックの入力が取り消される。
チェックボックスＣＢのチェックが入力された状態は、そのチェックボックスＣＢに対応する識別情報の審査員が存在し、チェックボックスＣＢのチェックが入力されていない状態は、そのチェックボックスＣＢに対応する識別情報の審査員が欠員であることを示す。
なお、新体操の採点ルールでは、線審１、線審２、計審の３名の人数は固定であり、審判員Ｄ１〜Ｄ４、Ｅ１〜Ｅ７の１１名について欠員が認められているため、チェックボックスＣＢは審判員Ｄ１〜Ｄ４、Ｅ１〜Ｅ７の１１名に対応してそれぞれ設けられている。
【００１８】
符号Ｃ３は、第１の組の審判員Ｄ１、Ｄ２が入力した得点の平均値が表示される第１の得点表示欄を示す。
符号Ｃ４は、第２の組の審判員Ｄ３、Ｄ４が入力した得点の平均値が表示される第２の得点表示欄を示す。
符号Ｃ５は、第３の組の審判員Ｅ１、Ｅ２が入力した減点の平均値が表示される第１の減点表示欄を示す。
符号Ｃ６は、第４の組の審判員Ｅ３〜Ｅ７が入力した減点のうち、最高点と最低点とを除外した残りの減点が表示される第２の減点表示欄を示す。
【００１９】
符号Ｃ７は、第１の平均値表示欄Ｃ３に表示される得点と、第２の平均値表示欄Ｃ４に表示される得点とを加算した得点が表示される第３の得点表示欄を示す。
符号Ｃ８は、第１の減点表示欄Ｃ５に表示された減点を１０点の持ち点から減算した結果と、第２の減点表示欄Ｃ６に表示された減点の平均値を１０点の持ち点から減算した結果とを加算した得点が表示される第４の得点表示欄を示す。
符号Ｃ９は、第３の得点表示欄Ｃ７に表示される得点と、第４の得点表示欄Ｃ８に表示される得点とを加算した得点合計が表示される得点合計表示欄である。
【００２０】
符号Ｃ１０は、計審、線審を表示する審判員表示欄であり、審判員表示欄には、上述したように審判員を示す識別情報として「計」、「線１」、「線２」が表示されている。
符号Ｃ１１は、計審が端末１２により入力し識別情報と対応付けられた対応数値データ、ここでは競技時間が表示される第２の数値データ表示欄を示す。
符号Ｃ１２は、線審１、線審２が端末１２により入力し識別情報と対応付けられた対応数値データ、ここでは競技者または手具が規定のラインを逸脱した回数が表示される第３の数値データ表示欄を示す。
符号Ｃ１３は、第２の数値データ表示欄Ｃ１１に表示された競技時間が規定の演技時間を超過した場合に、超過した時間（秒）に０．０５点を乗じて得られた減点を表示する第２の減点表示欄を示す。
符号Ｃ１４、Ｃ１５は、第３の数値データ表示欄Ｃ１２に表示された回数に０．３を乗じて得られた減点を表示する第３の減点表示欄を示す。
符号Ｃ１６は、第２の減点表示欄Ｃ１３、第３の減点表示欄Ｃ１４、Ｃ１５に表示された減点を合計した減点合計を表示する減点合計表示欄を示す。
符号Ｃ１７は、得点合計表示欄Ｃ９に表示された得点から減点合計表示欄Ｃ１６に表示された減点を減算した総合得点を表示する総合得点表示欄を示す。
【００２１】
なお、符号Ｂ１は上述した各欄Ｃ２〜Ｃ１７に表示された対応数値データ、得点、減点をゼロクリアする際にマウスでクリック操作されるクリアボタンを示す。
また、符号Ｂ２は上述した各欄Ｃ２〜Ｃ１７に表示された対応数値データ、得点、減点を確定し、その確定結果を競技者の属性情報（氏名や所属団体名など）と情報処理装置１４のハードディスク装置２４に設けられた記録用のデータベースに登録する際にマウスでクリック操作される確定ボタンを示す。
【００２２】
算出部１８Ｂは、第１の得点表示欄Ｃ３、第２の得点表示欄Ｃ４、第１の減点表示欄Ｃ５、第２の減点表示欄Ｃ６、第３の得点表示欄Ｃ７、第４の得点表示欄Ｃ８、第５の得点表示欄Ｃ９、第２の減点表示欄Ｃ１３、第３の減点表示欄Ｃ１４、Ｃ１５、減点合計表示欄Ｃ１６、総合得点表示欄Ｃ１７にそれぞれ表示される得点、減点、合計得点、合計減点、総合得点の算出を行なう。なお、本明細書では、得点を算出するとは、減点の算出も含めていう。
【００２３】
決定部１８Ｄは、入力装置２８の操作によるチェックボックスＣＢへのチェックの入力の有無に基づいて、チェックボックスＣＢに対応する対応数値データの有効または無効を決定するものである。
対応数値データを有効にするとは、算出部１８Ｂがその対応数値データを得点の算出に用いる対象とすることをいい、対応数値データを無効にするとは、算出部１８Ｂがその対応数値データを得点の算出に用いる対象から除外することをいう。
【００２４】
表示制御部１８Ｅは、対応数値データの有効または無効に対応して対応数値データの第１の数値データ表示欄Ｃ２（表示領域３４）への表示の許容または禁止を行なうものである。
したがって、仮に対応数値データが取得部１８Ａで取得されたとしても、対応数値データが無効とされた場合は、その対応数値データは第１の数値データ表示欄Ｃ２（表示領域３４）に表示されない。なお、対応数値データが表示されないとは、第１の数値データ表示欄Ｃ２が空白である場合、あるいは、第１の数値データ表示欄Ｃ２に数字以外の記号、例えば「−」が表示される場合、あるいは、第１の数値データ表示欄Ｃ２が「０」に固定して表示される場合の何れでも良い。
【００２５】
また、図４に示すように、表示制御部１８Ｅは、無効となっている対応数値データおよびその対応数値データに対応する識別情報の表示領域３４の全域の表示状態を、有効となっている対応数値データおよびその対応数値データに対応する識別情報の表示領域３４の表示状態と異なる表示状態とする。
本実施の形態では、無効となっている対応数値データおよびその対応数値データに対応する識別情報の表示領域３４である、第１の数値データ表示欄Ｃ２および審判員表示欄Ｃ１をグレーアウト表示したり、画面の背景色と反転表示したり、あるいは、画面の背景色とは異なる色で薄く表示した無効表示状態とする。
このような無効表示状態とすることで、その表示領域３４に表示される識別情報に対応する審判員が欠員であり、かつ、その審判員に対応する対応数値データが得点の算出に用いる対象から除外されたことが明確に表示される。
なお、無効表示状態であっても第１の数値データ表示欄Ｃ２および審判員表示欄Ｃ１に表示されている文字、数字、記号は視認が可能な程度とすることが、どの審判員が欠員となっており、その審判員の対応数値データが無効になっていることを明確に表示する上でより好ましい。
また、本実施の形態では、無効表示状態では、無効となっている対応数値データおよびその対応数値データに対応する識別情報の表示領域３４である第１の数値データ表示欄Ｃ２および審判員表示欄Ｃ１の全域の表示状態を変化させる場合について説明したが、第１の数値データ表示欄Ｃ２および審判員表示欄Ｃ１の一部の表示状態を変化させてもよい。
例えば、第１の数値データ表示欄Ｃ２および審判員表示欄Ｃ１の何れか一方の表示領域の表示状態を変化させてもよい。
しかしながら、本実施の形態のようにすると、欠員となっている審判員の対応数値データが無効になっていることを明確に表示する上でより有利となる。
【００２６】
さらに、表示制御部１８Ｅは、対応数値データが表示装置２６に表示された状態で対応数値データに対応する新たな対応数値データが取得部１８Ａで取得されると、新たな対応数値データに基づいて更新して表示させる。
例えば、審判員Ｄ１が端末１２を操作して得点４点を入力したあと、誤りに気が付き得点３点を再度入力すると、取得部１８Ａが新たな対応数値データである得点３点を取得し、表示制御部１８Ｅは、第１の数値データ表示欄Ｃ２の表示を「４」から「３」に更新（上書き）する。
【００２７】
また、表示制御部１８Ｅは、対応数値データが表示装置２６に表示された状態で対応数値データに対応する新たな対応数値データが入力装置２８の操作により入力されると、新たな対応数値データに基づいて更新して表示させる。
例えば、コーディネータジャッジが審判員Ｅ１に対応する減点５を４に修正すべきと判断した場合、コーディネータジャッジは、入力装置２８のマウスで審判員Ｅ１に対応する第１の数値データ表示欄Ｃ２をクリックして、キーボートから４を入力する。
すると、表示制御部１８Ｅは、第１の数値データ表示欄Ｃ２の表示を「５」から「４」に更新（上書き）する。
なお、対応数値データが更新されると、算出部１８Ｂによる算出動作も再度実行され、算出された得点、減点、得点合計、減点合計、総合得点も更新され、表示画面に表示される。
また、情報処理装置１４において生成された得点合計、減点合計、総合得点を、選手情報（選手の氏名や選手の所属団体などの属性情報を含む）と共に、競技会場に設けられた大型の表示装置２６に表示するなど任意である。
【００２８】
次に情報処理装置１４の動作について図５のフローチャートを参照して説明する。
コーディネータジャッジは、審判員の人数の増減に対応して情報処理装置１４の表示装置２６に表示されるチェックボックスＣＢに対してチェックの入力を行なう（ステップＳ１０）。
例えば、審判官が１４名全員存在する場合は、図３に示すように、全てのチェックボックスＣＢにチェックを入力する。
また、図４に示すように、審判官Ｅ２、Ｅ６、Ｅ７が欠員の場合は、図４に示すように、審判官Ｅ２、Ｅ６、Ｅ７の識別情報に対応するチェックボックスＣＢのチェックを外す。
表示制御部１８Ｅは、チェックボックスＣＢのチェック状態に対応して表示領域３４の表示状態を設定する（ステップＳ１２）。
すなわち、チェックが外されたチェックボックスＣＢがあると、チェックが外されたチェックボックスＣＢに対応する識別情報に対応する表示領域３４である第１の数値データ表示欄Ｃ２および審判員表示欄Ｃ１を無効表示状態とする。
決定部１８Ｄは、チェックボックスＣＢへのチェックの入力の有無に基づいて、チェックボックスＣＢに対応付けられた対応数値データの有効または無効を決定する（ステップＳ１４）。
【００２９】
競技者による競技が実施されることにより、複数の審判員は、それぞれ得点、減点、回数、時間などの数値データを自分の端末１２に入力し、エンターキーなどを操作することで数値データを送信する（ステップＳ１６）。
端末１２から送信された数値データは、通信回線１６を介して情報処理装置１４に至り、取得部１８Ａが数値データを識別情報に対応付けた対応数値データとして取得する（ステップＳ１８）。
表示部１８Ｃは、複数の識別情報と、複数の対応数値データと、複数の識別情報に対応する複数のチェックボックスＣＢとを対応付けて表示装置２６に一覧表示する（ステップＳ２０）。
ここで、表示制御部１８Ｅは、決定部１８Ｄにより無効とされた対応数値データの表示を禁止するため、無効とされた対応数値データは表示されない。
【００３０】
算出部１８Ｂは、有効とされた対応数値データに基づいて得点、減点を算出し、得点合計、減点合計、総合得点を算出する（ステップＳ２２）。
表示部１８Ｃは、算出された得点、減点、得点合計、減点合計、総合得点を表示装置２６に表示する（ステップＳ２４）。
なお、審判員により端末１２に新たな数値データが入力され、あるいは、コーディネータジャッジにより情報処理装置１４に新たな対応数値データが入力された場合は、表示制御部１８Ｅによって対応数値データの表示が更新され、また、算出部１８Ｂによって改めて得点の算出がなされ、表示部１８Ｃによって新たな得点、減点、総合得点の表示が更新される。
以上で一連の動作が終了し、競技者による競技が実施される都度、上記と同様の処理が繰り返して実行される。
【００３１】
本実施の形態によれば、審判員を識別する複数の識別情報と、複数の対応数値データと、複数の識別情報に対応する複数のチェックボックスＣＢと、を対応付けて表示装置２６に一覧表示し、入力装置２８の操作によるチェックボックスＣＢへのチェックの入力の有無に基づいて、チェックボックスＣＢに対応付けられた対応数値データの有効または無効を決定し、有効とされた対応数値データに基づいて得点の算出を行なうようにした。
したがって、従来のように、審判員の人数に合わせた複数の算出用プログラムを事前に用意する必要が無いため、コストの低減を図る上で有利となる。
また、審判員の増減に対応して正確に確実に得点を算出する上で有利となり、仮に欠員となった審判員の端末１２が誤操作されたとしても得点が誤って算出されることがない。
また、入力装置２８の操作によるチェックボックスＣＢへのチェックの入力操作は容易で間違えにくいため、情報処理装置１４の使い勝手の向上を図る上で有利となる。
【００３２】
また、本実施の形態では、対応数値データの有効または無効に対応して対応数値データの表示の許容または禁止を行なうようにした。
したがって、欠員となっている審判員の対応数値データの表示を禁止することで欠員となっている審判員の対応数値データを、存在する審判員の対応数値データと誤認することがなく、表示された対応数値データの視認性を高める上で有利となる。
【００３３】
また、本実施の形態では、無効となっている対応数値データおよびその対応数値データに対応する識別情報の表示領域３４の全域の表示状態を、有効となっている対応数値データおよびその対応数値データに対応する識別情報の表示領域３４の表示状態と異なる無効表示状態とするようにした。
したがって、無効表示状態とされた表示領域３４に表示される識別情報に対応する審判員が欠員であり、かつ、その審判員に対応する対応数値データが得点の算出に用いる対象から除外されたことが明確に表示されるので、表示された対応数値データの視認性を高める上で有利となる。
【００３４】
また、本実施の形態では、対応数値データが表示装置２６に表示された状態で対応数値データに対応する新たな対応数値データが取得されると、新たな対応数値データに基づいて更新して表示させ、更新された対応数値データに基づいて得点の算出を行なうようにした。
したがって、審判員が数値データを誤って端末１２に入力しても簡単な操作により数値データの修正を行なうことができ、得点の算出を効率的に行なう上で有利となる。
【００３５】
また、対応数値データが表示装置２６に表示された状態で対応数値データに対応する新たな対応数値データが入力装置２８の操作により入力されると、新たな対応数値データに基づいて更新して表示させ、更新された対応数値データに基づいて得点の算出を行なうようにした。
したがって、情報処理装置１４を扱う審判員（コーディネータジャッジ）が簡単に対応数値データの修正を行なうことができ、得点の算出を効率的に行なう上で有利となる。
【００３６】
なお、実施の形態では、得点が算出される競技が女子の新体操である場合について説明したが、本発明は、複数の審判員によって競技内容を評価する数値データが決定され数値データに基づいて得点が集計される従来公知の様々な競技に適用可能である。
また、本実施の形態では、審判員の人数の上限を１４名とした場合について説明したが、審判員の人数の上限は１５名以上としておき、将来のルール改正により審判員の増員がなされた場合に対応できるようにしてもよい。
また、本実施の形態では、情報処理装置１４がＬＡＮなどの通信回線１６を介して複数の端末１２に接続されている場合について説明したが、情報処理装置１４は端末１２から数値データを取得できればよく、通信回線１６をどのように構成するかは任意である。
【符号の説明】
【００３７】
１２  端末
１４  情報処理装置（ホストコンピュータ）
１８Ａ  取得部
１８Ｂ  算出部
１８Ｃ  表示部
１８Ｄ  決定部
１８Ｅ  表示制御部
２６  表示装置
２８  入力装置
３４  予め定められた表示領域
ＣＢ  チェックボックス
【図１】
2018153388.tif 000003
【図２】
2018153388.tif 000004
【図３】
2018153388.tif 000005
【図４】
2018153388.tif 000006
【図５】
2018153388.tif 000007